【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
情報処理装置と、前記情報処理装置とネットワークを介して通信可能に接続されるネットワークカメラとを有するシステムであって、
前記情報処理装置は、
人感センサと、
前記人感センサの検知結果に基づいて、前記ネットワークカメラに所定の要求を送信する第１送信手段と、を備え、
前記ネットワークカメラは、
前記情報処理装置の周辺を撮像可能な撮像手段と、
前記情報処理装置から受信した前記所定の要求に対して、前記撮像手段によって撮像された撮像画像に対応するユーザ情報を前記情報処理装置に送信する第２送信手段と、を備え、
前記情報処理装置は、
前記ネットワークカメラから送信された前記ユーザ情報を使ってログイン処理を実行する実行手段をさらに備える、
ことを特徴とするシステム。
【請求項２】
前記第２送信手段は、前記所定の要求の受信後に前記撮像手段によって撮像された撮像画像に対するユーザ情報を前記情報処理装置に送信する、ことを特徴とする請求項１に記載のシステム。
【請求項３】
前記情報処理装置は、第１電力状態及び前記第１電力状態より省電力の第２電力状態を有し、
前記ネットワークカメラは、さらに、
前記所定の要求を受信したときに前記撮像手段によって撮像された撮像画像に人の顔を示す顔情報が含まれているか否かを判断する判断手段と、を備え、
前記第２送信手段は、前記判断手段による判断結果に基づいて、前記情報処理装置を前記第２電力状態から前記第１電力状態に移行させるための信号を送信する、又は送信しない、ことを特徴とする請求項１又は２に記載のシステム。
【請求項４】
前記ネットワークカメラとネットワークを介して通信可能な認証サーバをさらに備え、
前記ネットワークカメラは、さらに、
前記前記撮像手段によって撮像された撮像画像に対応するユーザ情報を前記認証サーバから取得する取得手段を備え、
前記第２送信手段は、前記取得手段によって取得された前記ユーザ情報を前記情報処理装置に送信する、ことを特徴とする請求項１乃至３の何れか１項に記載のシステム。
【請求項５】
前記第１送信手段は、前記人感センサの検知結果が一定時間継続して人を検知したことを示す場合に、前記ネットワークカメラに前記所定の要求を送信する、ことを特徴とする請求項１乃至４の何れか１項に記載のシステム。
【請求項６】
前記情報処理装置は、さらに、
ユーザ情報を入力するためのログイン画面を表示可能な表示手段を備え、
前記表示手段は、前記実行手段による前記ログイン処理の成功に従って前記ログイン画面を別の画面に切り替える、ことを特徴とする請求項１乃至５の何れか１項に記載のシステム。
【請求項７】
前記ネットワークカメラは、前記情報処理装置から受信した前記所定の要求に従って、前記情報処理装置の周辺をズームアップする、ことを特徴とする請求項１乃至６の何れか１項に記載のシステム。
【請求項８】
前記ネットワークカメラとネットワークを介して通信可能に接続される別のネットワークカメラをさらに備え、
前記別のネットワークカメラは、
前記情報処理装置の周辺を撮像可能な別の撮像手段と、
前記ネットワークカメラから受信した所定の要求に対して、前記別の撮像手段によって撮像された撮像画像に対応するユーザ情報を前記情報処理装置に送信する別の送信手段と、を備える、ことを特徴とする請求項１乃至７の何れか１項に記載のシステム。
【請求項９】
前記情報処理装置は、
用紙に画像を印刷する印刷手段及び原稿の画像を読み取る読取手段、の少なくとも１つを備える、ことを特徴とする請求項１乃至８の何れか１項に記載のシステム。
【請求項１０】
ネットワークカメラとネットワークを介して通信可能に接続される情報処理装置のログイン方法であって、
前記情報処理装置に設けられる人感センサの検知結果に基づいて、前記ネットワークカメラに所定の要求を送信するステップと、
前記情報処理装置から受信した前記所定の要求に対して、前記ネットワークカメラによって撮像された撮像画像に対応するユーザ情報を前記情報処理装置に送信するステップと、
前記ネットワークカメラから送信された前記ユーザ情報を使ってログイン処理を実行するステップと、を有することを特徴とする情報処理装置のログイン方法。
【請求項１１】
ネットワークカメラとネットワークを介して通信可能に接続される情報処理装置であって、
人感センサと、
前記人感センサの検知結果に基づいて、前記ネットワークカメラに所定の要求を送信する送信手段と、
前記所定の要求に対する応答として、前記ネットワークカメラによって撮像された撮像画像に対応するユーザ情報を前記ネットワークカメラから受信する受信手段と、
前記受信手段によって受信された前記ユーザ情報を使ってログイン処理を実行する実行手段と、を備えることを特徴とする情報処理装置。
【請求項１２】
前記情報処理装置は、第１電力状態及び前記第１電力状態より省電力の第２電力状態を有し、
前記ネットワークカメラは、前記所定の要求を受信したときに前記ネットワークカメラによって撮像された撮像画像に人の顔を示す顔情報が含まれているか否かを判断して、前記情報処理装置を所定の信号を送信するものであって、
前記受信手段は、さらに、前記所定の信号を受信し、
前記所定の信号に従って、前記情報処理装置を前記第２電力状態から前記第１電力状態に移行する移行手段をさらに備える、ことを特徴とする請求項１１に記載の情報処理装置。
【請求項１３】
前記送信手段は、前記人感センサの検知結果が一定時間継続して人を検知したことを示す場合に、前記ネットワークカメラに前記所定の要求を送信する、ことを特徴とする請求項１１又は１２に記載の情報処理装置。
【請求項１４】
ユーザ情報を入力するためのログイン画面を表示可能な表示手段をさらに備え、
前記表示手段は、前記実行手段による前記ログイン処理の成功に従って前記ログイン画面を別の画面に切り替える、ことを特徴とする請求項１１乃至１３の何れか１項に記載の情報処理装置。
【請求項１５】
用紙に画像を印刷する印刷手段及び原稿の画像を読み取る読取手段の少なくとも１つを備える、ことを特徴とする請求項１１乃至１４の何れか１項に記載の情報処理装置。
【請求項１６】
ネットワークカメラとネットワークを介して通信可能に接続される情報処理装置のログイン方法であって、
前記情報処理装置の人感センサの検知結果に基づいて、前記ネットワークカメラに所定の要求を送信するステップと、
前記所定の要求に対する応答として、前記ネットワークカメラによって撮像された撮像画像に対応するユーザ情報を前記ネットワークカメラから受信するステップと、
受信した前記ユーザ情報を使ってログイン処理を実行するステップと、を有することを特徴とする情報処理装置のログイン方法。
【手続補正２】
【補正対象書類名】明細書
【補正対象項目名】０００９
【補正方法】変更
【補正の内容】
【０００９】
上記目的を達成する本発明のシステムは以下に示す構成を備える。
情報処理装置と、前記情報処理装置とネットワークを介して通信可能に接続されるネットワークカメラとを有するシステムであって、前記情報処理装置は、人感センサと、前記人感センサの検知結果に基づいて、前記ネットワークカメラに所定の要求を送信する第１送信手段と、を備え、前記ネットワークカメラは、前記情報処理装置の周辺を撮像可能な撮像手段と、前記情報処理装置から受信した前記所定の要求に対して、前記撮像手段によって撮像された撮像画像に対応するユーザ情報を前記情報処理装置に送信する第２送信手段と、を備え、前記情報処理装置は、前記ネットワークカメラから送信された前記ユーザ情報を使ってログイン処理を実行する実行手段をさらに備えることを特徴とする。
【手続補正３】
【補正対象書類名】明細書
【補正対象項目名】発明の名称
【補正方法】変更
【補正の内容】
【発明の名称】情報処理装置とネットワークカメラを有するシステム、情報処理装置及びそのログイン方法